(57)【特許請求の範囲】
【請求項１】
外装ケーシング内に、バーナが設けられ、
前記外装ケーシングに、前記バーナからの排ガスを排出する排気口が開口され、
前記バーナの上方を覆う上壁部と、その上壁部の周縁部のうちの一部を除いた残部から下方に延びて、前記バーナの周囲を覆う周壁部とを備えた防水カバーが、前記外装ケーシング内に設けられた燃焼装置であって、
前記上壁部の周縁部のうちの、前記周壁部が設けられていない周縁部に沿って、前記上壁部から上下両側に突出する突出部が設けられている燃焼装置。
【請求項２】
前記上壁部が、前記周壁部が設けられていない周縁部部分が下方に位置する傾斜姿勢で設けられている請求項１記載の燃焼装置。
【請求項３】
前記突出部における、下側に突出する下向き突出部分及び上側に突出する上向き突出部分のうちのいずれか一方が、前記上壁部を屈曲させることにより前記上壁部と一体的に形成され、他方が前記上壁部に付設されている請求項１又は２記載の燃焼装置。
【請求項４】
前記突出部に、前記突出部の下端縁から前方に延び且つ前方端部で下方に屈曲する状態の、又は、前記突出部の下端縁から前方ほど下方に位置する状態で延びる状態の舌片が備えられている請求項１〜３のいずれか１項に記載の燃焼装置。
【請求項５】
前記外装ケーシング内に、メインバーナが設けられ、
前記バーナは、そのメインバーナに点火するための種火用である請求項１〜４のいずれか１項に記載の燃焼装置。
【発明の詳細な説明】
【０００１】
【発明の属する技術分野】
本発明は、外装ケーシング内に、バーナが設けられ、
前記外装ケーシングに、前記バーナからの排ガスを排出する排気口が開口され、
前記バーナの上方を覆う上壁部と、その上壁部の周縁部のうちの一部を除いた残部から下方に延びて、前記バーナの周囲を覆う周壁部とを備えた防水カバーが、前記外装ケーシング内に設けられた燃焼装置に関する。
【０００２】
【従来の技術】
かかる燃焼装置は、排気口等から外装ケーシング内に雨水が入り込んでも止むを得ない状態で、例えば屋外に設置するものであり、外装ケーシング内に入り込んだ雨水がバーナに付着して、バーナが点火不可能な状態になるのを防止するために、防水カバーを設けてある。
バーナの火炎を防水カバーの外部に出したり、バーナの燃焼ガスを防水カバーの外部に排出する必要があるため、防水カバーの周壁部は、上壁部の周縁部のうちの一部を除いた残部から下方に延びる状態で設けることにより、バーナの周囲を一部を開けた状態で覆うようにしてある。
【０００３】
しかしながら、防水カバーの上壁部に溜まった雨水が、上壁部の周縁部のうちの周壁部が設けられていない部分から、上壁部の裏面側に回り込んで上壁部の裏面を伝ってバーナ上に滴下して、バーナが点火不可能な状態になる問題がある。
そこで、従来の燃焼装置には、雨水が上壁部の裏面側に回り込むのを防止するために、上壁部の周縁部のうちの、周壁部が設けられていない周縁部に沿って、上方に突出する上向き突出部を設けたものがあった。
又、雨水が上壁部の裏面側に回り込むのを防止するために、上壁部の周縁部のうちの、周壁部が設けられていない周縁部に沿って、下方に突出する下向き突出部を設けたものがあった。
【０００４】
【発明が解決しようとする課題】
しかしながら、上記の従来の装置において、上向き突出部を設けたものでは、雨量の多いときや、雨風のとき等のように、雨水の浸入量が多いときは、防水カバーの上壁部に滴下した雨水が、上向き突出部をオーバーフローして、上壁部の裏面側に回り込む虞がある。
又、下向き突出部を設けたものでは、やはり、雨水の浸入量が多いときは、防水カバーの上壁部に滴下した雨水が、下向き突出部の表側を伝って、その下端から下向き突出部の裏側に回り込んで、上壁部の裏面側を伝う虞がある。
尚、雨水が上壁部の裏面側に回り込むのを確実に防止することができるように、上向き突出部及び下向き突出部夫々の突出量を大きくしようとしても、スペース面、コスト面、及び、火炎を防水カバーの外部に出したり、燃焼ガスを防水カバーの外部に排出するという性能面において、限度がある。
【０００５】
従って、従来の装置において、上向き突出部を設けたもの及び下向き突出部を設けたもののいずれのものも、雨水が上壁部の裏面側に回り込むのを確実に防止することができず、雨水の付着に起因してバーナが点火不可能状態になるのを確実に防止できるには至っていなかった。
【０００６】
本発明は、かかる実情に鑑みてなされたものであり、その目的は、雨水が防水カバーの上壁部の裏面側に回り込むのを確実に防止して、雨水の付着に起因してバーナが点火不可能状態になるのを確実に防止することにある。
【０００７】
【課題を解決するための手段】
請求項１に記載の特徴構成によれば、上壁部の上に滴下した雨水は、突出部における上方に突出した上向き突出部分にて堰き止められて、上向き突出部分に沿ってその横方向の両端側に分かれて流れて、その両端部から滴下し、上向き突出部分をオーバーフローした雨水は、突出部における下方に突出した下向き突出部分の表側を伝って、その下端縁から滴下する。
つまり、下向き突出部分の表側を伝うのは、上向き突出部分にて堰き止めることができなかった雨水だけであり、その量は極めて少ないため、下向き突出部の表側を伝った雨水の全ては、その下端部から滴下してしまうので、下向き突出部の裏側に回り込む状態になるには至らないのである。
従って、雨水が防水カバーの上壁部の裏面側に回り込むのを確実に防止することができるようになったので、雨水の付着に起因してバーナが点火不可能状態になるのを確実に防止することができるようになった。
【０００８】
請求項２に記載の特徴構成によれば、上壁部は、周壁部が設けられていない周縁部部分が下方に位置する傾斜姿勢になっているので、上壁部の上に滴下した雨水は、スムーズに、突出部方向に流れ、上向き突出部分にて堰き止められて、上向き突出部分に沿ってその横方向の両端側に分かれて流れて、その両端部から滴下する。
従って、上壁部の上に滴下した雨水が、上壁部の上に溜まるのを防止することができるので、塵埃等の付着による防水カバーの汚染を抑制することができるようになった。
【０００９】
請求項３に記載の特徴構成によれば、突出部における、下側に突出する下向き突出部分及び上側に突出する上向き突出部分のうちのいずれか一方が、上壁部を屈曲させることにより上壁部と一体的に形成され、他方が上壁部に付設されているので、部品点数が少なくなるとともに、上壁部に付設する部品が一点だけであるので、製造工程が簡略化される。
従って、本発明を実施するためのコストを低減することができる。
【００１０】
請求項４に記載の特徴構成によれば、舌片部分は雨水が滴下しやすいので、上向き突出部分をオーバーフローした雨水は、突出部の下端縁を伝って舌片の方にながれ、舌片から滴下する。
従って、下向き突出部の表側を伝った雨水がその下端部から下向き突出部の裏側に回り込むのを防止する作用が、一層効果的なものとなるので、下向き突出部分及び上向き突出部分夫々の突出量を小さくすることが可能となり、本発明を実施するためのコストを更に低減することができる。
【００１１】
ところで、外装ケーシング内にメインバーナを設け、そのメインバーナに点火するための種火用のバーナを設ける場合があるが、種火用のバーナは、メインバーナに比べて、雨水が付着すると点火不可能状態になりやすい。
従って、請求項５に記載の特徴構成によるように、本発明を、種火用のバーナに対して設けた防水カバーに実施すると、特に有効である。
【００１２】
【発明の実施の形態】
以下、本発明を、燃焼装置の一例としての屋外設置型の風呂釜装置に適用した実施の形態について、図面に基づいて説明する。
図１及び図７に示すように、外装ケーシングＣ内において、その下部に、メインバーナ１を設け、そのメインバーナ１の上方に位置させて、そのメインバーナ１に点火する種火バーナ２を設け、更に、メインバーナ１の上方に位置させて、そのメインバーナ１にて加熱される水加熱用の熱交換器３を設けてある。
外装ケーシングＣに、メインバーナ１及び種火バーナ２からの排ガスを排出する排気口４を開口してある。
更に、熱交換器３の入口及び出口に浴槽（図示せず）の水を循環させる循環パイプ５を接続してある。
そして、浴槽の水を、循環パイプ５を通じて熱交換器３に通流させて加熱するように構成してある。
【００１３】
図１、図５及び図６に示すように、種火バーナ２の上方を覆う上壁部６ｔと、その上壁部６ｔの周縁部のうちの一部を除いた残部から下方に延びて、種火バーナ３の周囲を覆う周壁部６ｓ，６ｓ，６ｒを備えた防水カバー６を、外装ケーシングＣ内に設けてある。
防水カバー６の上壁部６ｔの周縁部のうちの、周壁部６ｓ，６ｓ，６ｒを設けていない周縁部に沿って、上壁部６ｔから上下両側に突出する突出部７を設けてある。
【００１４】
次に、図１ないし図４、及び、図７に基づいて、外装ケーシングＣについて説明を加える。
外装ケーシングＣは、底板８、２個の側板９，１０、前板１１、開口部１２ａを備えた天板１２及び排気トップ１３を組み合わせて、ビスにて接合して組み付ける。排気トップ１３に、排気口４を開口してある。
底板８、２個の側板９，１０、前板１１及び天板１２にて、後述するメインバーナ１、種火バーナ２及び熱交換器３等を設ける空間を区画形成し、その空間と排気トップ１３とを、天板１２の開口部１２ａにて連通させてある。
側板９，１０及び前板１１夫々には、通気用のガラリ９ａ，１０ａ，１１ａを設けてある。
【００１５】
図１ないし図４に示すように、外装ケーシングＣにおいて、底板８、２個の側板９，１０、前板１１及び天板１２にて区画形成される空間を、仕切り壁１４にて横方向に二分し、一方側に、角筒状のバーナケーシング１５、熱交換器３及び角筒状の排気集合筒１６を、記載順に下方から上方に向けて並べて設けてある。
尚、角筒状のバーナケーシング１５、熱交換器３の角筒状の枠部、及び、角筒状の排気集合筒１６を一連に連通させてあり、排気集合筒１６と排気トップ１３とを天板１２の開口部１２ａにて連通させてある。
図中の２８は、熱交換器３の温度が設定温度以上になる過熱状態を検出する過熱検出手段である。
【００１６】
図１、図２、図４及び図５に示すように、底板８上にビス１７にて着脱自在に設けられるバーナ取り付け部材１８に、メインバーナ１と、種火バーナ２、その種火バーナ２に点火する点火プラグ１９、種火バーナ２の点火を検出するフレームロッド２０及び種火バーナ用ノズル２１を支持させた防水カバー６と、メインバーナ用ノズル２２と、ガバナ２３と、バルブユニット２４と、風呂釜装置の各種制御を司る制御部２５とを一体的に取り付けてユニット化してある（以下、説明を簡略にするためにバーナユニットと称する）。
【００１７】
前記バーナユニットは、外装ケーシングＣの前板１１を取り外すことにより、外装ケーシングＣに対して挿脱自在なように構成してある。
そして、前記バーナユニットを、仕切り壁１４に形成した切り欠き１４ａ、及び、バーナケーシング１５に形成した切り欠き１５ａを通じて、メインバーナ１及び防水カバー６を挿通し、それら切り欠き１４ａ及び切り欠き１５ａにバーナ取り付け部材１８を嵌め込んた状態で設置することにより、メインバーナ１及び防水カバー６がバーナケーシング１５内に位置し、その他のものが仕切り壁１４に対してバーナケーシング１５側とは反対側に位置する状態となるように構成してある。但し、防水カバー６に支持させた種火バーナ用ノズル２１は、仕切り壁１４に対してバーナケーシング１５側とは反対側に位置する。
【００１８】
つまり、メインバーナ１と、種火バーナ２、点火プラグ１９及びフレームロッド２０を支持させた防水カバー６と、メインバーナ用ノズル２２と、ガバナ２３と、バルブユニット２４と、制御部２５とを、前記バーナユニットとして、一体的に外装ケーシングＣに対して挿脱自在に構成することにより、それらの各部品の点検修理が容易なようにしてある。
又、前記バーナユニットを外装ケーシングＣ内に設けた状態では、メインバーナ用ノズル２２、ガバナ２３、バルブユニット２４及び制御部２５が、仕切り壁１４にてバーナケーシング１５とは断熱された部分に位置するようにしてある。
【００１９】
次に、図１、図５及び図６に基づいて、防水カバー６について説明を加える。
防水カバー６は、排気口４や、通気用のガラリ９ａ，１０ａを通じて外装ケーシングＣ内に入り込んだ雨水が、種火バーナ２に滴下するのを防止するように設けてある。
防水カバー６は、後壁部６ｒを形成すると共に、種火バーナ２、点火プラグ１９、フレームロッド２０及び種火バーナ用ノズル２１を支持させる支持部６Ａと、上壁部６ｔ及び一対の対向する側壁部６ｓ，６ｓを形成すべく概ねコの字形状に屈曲形成したカバー部６Ｂとを組み合わせて、ビスにて接合して組み付ける。支持部６Ａとカバー部６Ｂとは、上壁部６ｔが、側壁部６ｓ，６ｓ及び後壁部６ｒが設けられていない前端縁部分が下方に位置する傾斜姿勢になるように、組み付けてある。
防水カバー６は、支持部６Ａにて、バーナ取り付け部材１８に取り付ける。
【００２０】
カバー部６Ｂにおける上壁部６ｔ形成部分の前端縁を、下方に屈曲させることにより、突出部７における、下側に突出する下向き突出部分７ｄを形成してある。
又、突出部７の下向き突出部分７ｄの下端縁から前方に延び且つ前方端部で下方に屈曲する状態の舌片２７も、カバー部６Ｂを屈曲させることにより形成してある。
更に、突出部７における、上側に突出する上向き突出部分７ｕを形成すべく、Ｌ字形状に屈曲させた突出部形成用板状体２６を、防水カバー６の上壁部６ｔ上にその前端縁に沿って溶接にて付設してある。
【００２１】
つまり、突出部７の下向き突出部分７ｄを、上壁部６ｔを屈曲させることにより上壁部６ｔと一体的に形成し、上向き突出部分６ｕを上壁部６ｔに付設してある。
【００２２】
次に、図５に基づいて、バルブユニット２４について説明を加える。  バルブユニット２４は、燃料ガスを供給するガス供給口２４Ａ、メインバーナ１への燃料ガス供給を断続するメインバーナ用電磁弁２４Ｂ、及び、種火バーナ２への燃料ガス供給を断続する種火バーナ用電磁弁２４Ｃを備えた状態でユニット化してある。
図示しないが、種火バーナ用電磁弁２４Ｃ及びメインバーナ用電磁弁２４Ｂは、種火バーナ用電磁弁２４Ｃの方が流路上手側に位置する状態で、ガス供給口２４Ａに直列的に接続されている。
種火バーナ用電磁弁２４Ｃは、種火バーナ用ノズル２１に接続され、メインバーナ用電磁弁２４Ｂは、ガバナ２３を介して、メインバーナ用ノズル２２に接続されている。
【００２３】
更に、図示しないが、制御部２５に対して点火指令を送る点火スイッチ、制御部２５に対して消火指令を送る消火スイッチ、種火バーナ２が点火したことを表示する点火表示部等を備えたリモコン装置を、浴室内部等に設けてある。
【００２４】
次に、制御部２５の制御作動について説明する。
先ず、点火時の制御作動について説明する。
前記リモコン装置の点火スイッチによって、点火が指令されることに基づいて、点火プラグ１９を作動させるとともに、種火バーナ用電磁弁２４Ｃを開弁する。
従って、燃料ガスが種火バーナ用電磁弁２４Ｃを通じて種火バーナ２に供給されて、種火バーナ２が点火する。
フレームロッド２０が種火バーナ２の点火を検出することに基づいて、前記点火表示部をオンさせ、点火プラグ１９の作動を停止させ、並びに、メインバーナ用電磁弁２４Ｂを開弁する。
従って、燃料ガスが、種火バーナ用電磁弁２４Ｃ、メインバーナ用電磁弁２４Ｂ及びガバナ２３を通じてメインバーナ１に供給され、メインバーナ１が点火する。
【００２５】
次に、消火時の制御作動について説明する。
前記リモコン装置の消火スイッチによって、消火が指令されることに基づいて、前記点火表示部をオフするとともに、種火バーナ用電磁弁２４Ｃ及びメインバーナ用電磁弁２４Ｂを閉弁する。
従って、種火バーナ２及びメインバーナ１への燃料ガス供給が断たれるので、それらは消火する。
【００２６】
種火バーナ２及びメインバーナ１が燃焼動作中に、何らかの原因でそれらが消火して、フレームロッド２０が種火バーナ２の消火を検出することに基づいて、種火バーナ用電磁弁２４Ｃ及びメインバーナ用電磁弁２４Ｂを閉弁する。
又、過熱検出手段２８が熱交換器３の過熱状態を検出することに基づいて、種火バーナ用電磁弁２４Ｃ及びメインバーナ用電磁弁２４Ｂを閉弁する。
【００２７】
〔別実施形態〕
次に別実施形態を説明する。
（イ）  上記の実施形態では、突出部７の下向き突出部分７ｄを、上壁部６ｔを屈曲させることにより上壁部６ｔと一体的に形成し、上向き突出部分６ｕを上壁部６ｔに付設する場合について例示したが、これに代えて、上向き突出部分６ｕを、上壁部６ｔを屈曲させることにより上壁部６ｔと一体的に形成し、下向き突出部分７ｄを上壁部６ｔに付設するようにしてもよい。
あるいは、下向き突出部分７ｄ及び上向き突出部分６ｕの両方を、上壁部６ｔに付設するようにしてもよい。
【００２８】
（ロ）  上記の実施形態では、上壁部６ｔにおける平面視の形状として、矩形状を適用する場合について例示したが、上壁部６ｔにおける平面視の形状は、円形や多角形等、種々の形状が可能である。
【００２９】
（ハ）  舌片２７の形状は、上記の実施形態において例示した、下向き突出部分７ｄの下端縁から前方に延び且つ前方端部で下方に屈曲する状態の形状以外にも種々の形状が可能である。
例えば、上記の実施形態において例示した形状において、下向き突出部分７ｄの下端縁から前方に延びる部分を下方に傾斜させてもよい。
又、下向き突出部分７ｄの下端縁から前方ほど下方に位置する状態で延びるような形状にしてもよい。
【００３０】
（ニ）  外装ケーシングにおいて排気口４を開口する箇所は、上記の実施形態において例示した上面部に限定されるものではなく、側面部であってもよい。
【００３１】
（ホ）  上記の実施形態では、外装ケーシングＣ内にメインバーナ１と、そのメインバーナ１に点火するための種火バーナ２とを設け、種火バーナ２に対して防水カバー６を設けた構成において、本発明を適用する場合について例示したが、これに代えて、メインバーナ１と種火バーナ２とを区別せずに、バーナ２を設け、そのバーナ２に対して防水カバー６を設けた構成にも適用可能である。
【００３２】
（ヘ）  上記の実施形態では、本発明を、燃焼装置の一例である風呂釜装置に適用する場合について例示したが、本発明は、これ以外にも種々の燃焼装置、例えば、給湯装置、給湯機能を備えた風呂釜装置、空調装置等に適用可能であり、特に、屋外設置型の燃焼装置に好適である。
【図面の簡単な説明】
【図１】燃焼装置の縦断側面図
【図２】燃焼装置の分解斜視図
【図３】外装ケーシングの分解斜視図
【図４】バーナケーシング、熱交換器及び排気集合筒の組み付け構成を示す分解斜視図
【図５】バーナユニットの組み付け構成を示す分解斜視図
【図６】防水カバーを示す斜視図
【図７】燃焼装置の斜視図
【符号の説明】
１          メインバーナ
２          バーナ
４          排気口
６          防水カバー
６ｔ        上壁部
６ｓ，６ｒ  周壁部
７          突出部
７ｄ        下向き突出部分
７ｕ        上向き突出部分
２７        舌片
Ｃ          外装ケーシング
【図１】
0003641528.tif 000002
【図２】
0003641528.tif 000003
【図３】
0003641528.tif 000004
【図４】
0003641528.tif 000005
【図５】
0003641528.tif 000006
【図６】
0003641528.tif 000007
【図７】
0003641528.tif 000008